(57)【要約】      （修正有）【課題】植物輸入検疫くん蒸や貯蔵穀物の害虫駆除等の目的に使用されるリン化アルミニウムくん蒸剤のくん蒸処理後に残存する残渣を、無害化しつつ、運搬し、保管中に安全に産業廃棄物として焼却処分できるまで無害化処理するくん蒸剤残渣運搬及び除外容器を提供する。【解決手段】容器１下部に換気ブロワ室１９を設け仕切り板１０に換気ブロワ１１を取り付け、その上部に空間部２０を設け、活性炭支持板９を設置して、活性炭７を充填、活性炭７上部表面に残渣収容室底板５を設置、残渣収容室１７には、複数の稀釈空気取り入れ口３があり、換気ブロワ室１９底部には、複数の排気口１２があり、換気ブロワ１１は、動力線プラグ１３に、リード線１４にて、ポータブル電源１５へ接続し、運搬中の除害運転を可能にして、また、ポータブル電源１５に、サプライ電源を接続することにより長期保管中の除害運転を可能にした。【選択図】図１
0003223922.tif 000002
【実用新案登録請求の範囲】
【請求項１】
本容器は、容器１下部に換気ブロワ室19を設け仕切り板 10に換気ブロワ１１を取り付け、その上部に空間部２０を設け、活性炭７を充填する。活性炭上部表面に残渣収容室底板を設置、残渣収容室17には、複数の稀釈空気取り入れ口３があり、換気ブロワ室１９底部には、複数の排気口１２を設ける。容器1底部には車輪１８を取り付け容器の移動を可能にした。容器１に取り付けた換気ブロワ11は、動力線プラグ１３をリード線１４にて接続、ポータブル電源１５に接続し、運搬中の運転をする。又、ポータブル電源１５は、サプライ電源に接続することにより長期保管中の常時運転が可能となった容器。
【請求項２】
本容器は、残渣収容室17に収容した残渣から発生する高濃度のリン化水素を、換気ブロワ11の運転により稀釈空気取り入れ口3から流入する空気で稀釈することにより低濃度にせしめ活性炭槽に導入することにより、活性炭7の触媒反応の急激な反応熱上昇を抑え、活性炭の発火を防止する。活性炭７にて、リン化水素を含んだ空気は無害化され、仕切り板10上部の空間部20から換気ブロワ11にて吸引され換気ブロワ室19から複数設けられた排気口１２より排気される。リン化アルミニウムくん蒸剤残渣２１から、発生するリン化水素を稀釈し、活性炭層に導入、除害され安全な状態を維持しながら運搬移動を可能とし、且つ長期保管中は、換気ブロワ１１を常時運転することにより発生するリン化水素を除害、残留リン化アルミニウムが分解し産業廃棄物として処理が可能な状態にできる容器。
【請求項３】
本容器の活性炭槽は、通気抵抗が平面的に均一でない場合は、その通気量に差異が生じて活性炭による触媒反応が不均一になり十分な除害ができない。活性炭7は、粒状であり、運搬中の振動により炭層厚みに変化が起こるため、残渣収容室底部板5は固定せず、活性炭7の表面と残渣収容室底部板5の間に空間ができないようにしたことを特徴とする容器。
【請求項４】
本容器は、搬送中に傾く恐れや運送車両の急激な停車による容器に対する影響で、活性炭が慣性移動したり、表層流動が起き炭層の厚みにばらつきを起こすため活性炭7の表層流動を防止する複数の活性炭流動防止板６を、収容室底板５下面に取付、活性炭7に直角方向に活性炭層に 差し込み活性炭の流動を防止することを特徴とする容器。
【考案の詳細な説明】
【技術分野】
【０００１】
植物輸入検疫くん蒸や貯蔵穀物の害虫駆除等の目的に使用されるリン化アルミニウムくん蒸 剤のくん蒸処理後に残存する残渣は、水酸化アルミニウムが主成分として、未分解リン化アルミニウムも含む残渣である。その残渣を、使用場所から発生するリン化水素を触媒活性炭にて無害化しつつ、運搬し、保管中に安全に産業廃棄物として焼却処分できるまで無害化処理する容器を提供する。
【背景技術】
【０００２】
近年バイオ燃料火力発電所が各地に建設され、バイオ燃料としてヤシ殻等のペレットを大量に輸入されるようになった。
これらは、輸出国で、積載本船船倉内で、リン化アルミニウム剤のくん蒸を行いながら輸入されてきます。
当然多量のリン化アルミニウム剤残渣がバイオ燃料とともに輸入され、その処分方法が問題化している。又、輸出国から輸入国までの輸送期間が短い場合輸送中に十分な分解反応が行われず残留リン化アルミ二ウムの多いくん蒸剤残渣が陸揚げされることがある。
輸入植物検疫くん蒸は、臭化メチル、青酸の代替薬剤としてリン化アルミニウム剤を用いたくん蒸方法が新たに開発され、より多くのリン化アルミニウム剤が使用出来るようになった。
一般の害虫駆除行う製粉工場等のくん蒸では、臭化メチルの使用が禁止されたためリン化アルミニウム剤が使用され、くん蒸期間が短縮したくん蒸を行う場合があり未分解リン化アルミニウムを多く含むくん蒸剤残渣を回収しており、その運搬及び処理は、発火事故や暴露事故の恐れがある。
リン化アルミニウム剤は、次の反応式で表わされるように、空気中の水分と反応して、リン化水素ガスを発生する。
AｌP+3H2O→PH3+Aｌ(OH)
この分解反応は、くん蒸倉庫、サイロ等の気中温度と湿度 により、大きく影響される。夏季において２〜３日、春秋５日、冬季は６〜７日のくん蒸期間を要するが、このくん蒸期間が経過後も、リン化アルミニウム剤は、完全分解せずくん蒸終了後も残渣中に存在し且つ、微量ながらリン化水素を発生し続けている。リン化水素は、その濃度が1.8%(気中V%)で自然発火するため、残渣運搬中や保管中に発火、爆発の事故を起こす恐れがあり、通常、リン化アルミニウムくん蒸剤残渣は、特定の処理場所にて、加水分解処理を施し、その後、産業廃棄物として焼却処分されている。
【先行技術文献】
【特許文献】
【０００３】
【特許文献１】特許公開2000−１７８１０３は、リン化アルミニウムくん蒸剤残渣を運搬するための容器であって、本体ケース、上蓋及び通気口カバーを有し、残渣を収容した残渣ケースを収容する収容室を備えている。収容室は、吸収剤層及び通気口を介し、本体ケースと外部連通可能にして、収容室にて発生するリン化水素ガスを、吸収剤にて除去することにより、収容室内の濃度を低く抑えて運搬する容器である。
【非特許文献】
【０００４】
【非特許文献１】くん蒸剤リン化アルミニウムの取扱い説明書によれば、くん蒸剤残渣は、水処理を行い、そののち土中に埋めるか、焼却処分するよう指示されている。植物検疫くん蒸作業主任者テキスト「くん蒸の理論と実際」では、イ）集めた残渣はなるべく浅い容器に収容して、廃棄場所まで安全に運搬し、速やかに石鹸水等の中に投入し、かき混ぜながら混ぜ込む等安全に処理すること。ロ）残渣の分解促進の作業は、残存ガスが発生する恐れがあるので、周囲に人家や、第三者がいないことを確認した上で隔離式防毒マスクを着用して行うか、必要があれば空気呼吸器等の保護具を着用する。ハ）未分解の粉末を密閉容器に入れたまま数分以上放置すると発熱発火の恐れがあり非常に危険である。又、粉末の上から水をかけることも絶対に禁物である。以上のような残渣の取扱い方法の指導がされている。特願２０１４−２２９５３２における「くん蒸残渣運搬袋と真空装置」は、気密性のある運搬用袋にリン化くん蒸剤残渣を収容し、真空ポンプにて、収容する運搬袋内の空気を抜くことによりくん蒸剤残渣中に含まれる未分解リン化アルミの分解を制御して、発火を防止するものである。真空ポンプにて吸引された空気は、除害槽にて、無害化される装置。
【考案の概要】
【考案が解決しようとする課題】
【０００５】
従来のリン化アルミニウム剤くん蒸剤残渣運搬容器は、容器内に発生するリン化水素を吸収剤に接触し触媒反応により除害しているが、くん蒸剤残渣が多くの未分解リン化アルミニウムを含有する時、触媒反応が急激に起こり、反応熱により吸収剤が燃焼したり、収容室内で、反応速度が遅くリン化水素濃度が上昇して発火する恐れがあった。
吸収剤は活性炭であり、触媒反応によりリン化水素がリン酸化合物へ変わる反応式は、次式の通りである。
PH3  +   2O2    →  H3PO4      （オルトリン酸）
2PH3  ＋3O2    →      2H3PO3    （亜オルトリン酸）
xPH3 + 2xO2     →       (HPO3)x +xH2O （メタリン酸）
2xPH3 + 3xO2    →       (HPO2)2x +2xH2O （メタ亜リン酸）
リン化水素は、リン酸化合物となり、活性炭内に無害な物質で保持される。  
本発明のリン化アルミ二ウムくん蒸残渣運搬及び除害容器は、未分解リン化アルミニウムを多く含む残渣が輸入されたり、くん蒸場所から回収された場合でも、安全に回収し、運搬、保管、除害処理を行う容器を提供する。
【課題を解決するための手段】
【０００６】
本発明リン化アルミニウムくん蒸剤残渣運搬及び除害容器は、容器本体１の下部に換気ブロワ室19を設け仕切り板 10に換気ブロワ１１を取り付ける。その上部に空間部２０を設け活性炭7を保持する通気孔を有する保持板9とメッシュスクリーン８を設置、活性炭７を充填する。活性炭7の表面に、複数の活性炭流動防止板６をつけた通気孔を有する板にメッシュスクリーン4を取り付けた残渣収容室底板５を置く。残渣収容室17には、複数の稀釈空気取り入れ口３があり、換気ブロワ室１９底部には、複数の排気口１２を設ける。容器本体1底部には車輪１８を取り付け移動を可能にした。換気ブロワ11は、動力線プラグ１３をリード線１４に接続、ポータブル電源１５に接続し常時運転する。残渣収容室17に収容した残渣から発生するリン化水素は、換気ブロワ11の運転により稀釈空気取り入れ口3から流入する空気で稀釈され低濃度にせしめ、活性炭槽に導入される。活性炭7の触媒反応でリン化水素を含んだ空気は無害化され、仕切り板10上部の空間部20から換気ブロワ11にて吸引され換気ブロワ室19から複数設けられた排気口１２より排気される。
【考案の効果】
【０００７】
本発明リン化アルミニウムくん蒸剤残渣運搬及び除害容器は、容器本体１の下部に換気ブロワ室19を設け仕切り板 10に換気ブロワ１１を取り付ける。その上部に空間部２０を設け活性炭7を保持する通気孔を有する保持板9とメッシュスクリーン８を設置、活性炭７を充填する。活性炭7の表面に、複数の活性炭流動防止板６をつけた通気孔を有する板にメッシュスクリーン4を取り付けた残渣収容室底板５を置く。残渣収容室17には、複数の稀釈空気取り入れ口３があり、換気ブロワ室１９底部には、複数の排気口１２を設ける。容器本体1底部には車輪１８を取り付け移動を可能にした。換気ブロワ11は、動力線プラグ１３をリード線１４に接続、ポータブル電源１５に接続し常時運転する。残渣収容室17に収容した残渣から発生するリン化水素は、換気ブロワ11の運転により稀釈空気取り入れ口3から流入する空気で稀釈され低濃度にせしめ、活性炭槽に導入される。活性炭7の触媒反応でリン化水素を含んだ空気は無害化され、仕切り板10上部の空間部20から換気ブロワ11にて吸引され換気ブロワ室19から複数設けられた排気口１２より排気される。
活性炭7は、粒状であり、運搬中の振動により炭層厚みに変化が起こるため、残渣収容室底部板5は固定せず、活性炭7の表面と残渣収容室底部板5の間に空間ができないようにした。容器は搬送中傾く恐れや急激な停車による慣性移動が起きる可能性がある。急激な傾きや急激な停車は活性炭の表層流動が起き、炭層に厚みのばらつきを起こすため活性炭7の表層流動を防止する複数の活性炭流動防止板６を設置した。複数の活性炭流動防止板６は、収容室底板５に強固に取付、活性炭7に直角方向に活性炭層厚みの1/3以上深く 差し込む。活性炭流動防止板６の取付数及び位置は容器本体１の大小により決められる。
【図面の簡単な説明】
【０００８】
【図１】リン化アルミニウムくん蒸剤残渣運搬及び除害容器断面図
【図２】残渣収容室底板詳細図
【考案を実施するための形態】
【０００９】
本発明リン化アルミニウムくん蒸剤残渣運搬及び除害容器は、容器本体１の下部に換気ブロワ室19を設け仕切り板 10に換気ブロワ１１を取り付ける。その上部に空間部２０を設け活性炭7を保持する通気孔を有する保持板9とメッシュスクリーン８を設置、活性炭７を充填する。活性炭7の表面に、複数の活性炭流動防止板６をつけた通気孔を有する板にメッシュスクリーン4を取り付けた残渣収容室底板５を置く。残渣収容室17には、複数の稀釈空気取り入れ口３があり、換気ブロワ室１９底部には、複数の排気口１２を設ける。容器本体1底部には車輪１８を取り付け移動を可能にした。換気ブロワ11は、動力線プラグ１３をリード線１４に接続、ポータブル電源１５に接続し常時運転する。残渣収容室17に収容した残渣から発生するリン化水素は、換気ブロワ11の運転により稀釈空気取り入れ口3から流入する空気で稀釈され低濃度にせしめ、活性炭槽に導入される。活性炭7の触媒反応でリン化水素を含んだ空気は無害化され、仕切り板10上部の空間部20から換気ブロワ11にて吸引され換気ブロワ室19から複数設けられた排気口１２より排気される。
活性炭7の表面に、残渣収容室底板５を置くことの詳細を述べる。活性炭槽は、通気抵抗が平面的に均一でない場合は、その通気量に差異が生じて活性炭による触媒反応時間が不均一になり十分な除害ができない。活性炭7は、粒状であり、運搬中の振動により炭層厚みに変化が起こるため、残渣収容室底部板5は固定せず、活性炭7の表面と残渣収容室底部板5の間に空間ができないようにした。容器は搬送中傾く恐れや急激な停車による慣性移動が起きる可能性がある。急激な傾きや急激な停車は活性炭の表層流動が原因で、活性炭層に厚みのばらつきを起こす恐れがあるため活性炭7の表層流動を防止する複数の活性炭流動防止板６を設置した。複数の活性炭流動防止板６は、収容室底板５に強固に取付、活性炭7に直角方向に活性炭層厚みの1/3以上深く 差し込む。活性炭流動防止板６の取付数及び位置は容器１の大小により決められる。
【実施例】
【００１０】
本発明リン化アルミニウムくん蒸剤残渣運搬及び除害容器は、容器本体１の下部に換気ブロワ室19を設け仕切り板 10に換気ブロワ１１を取り付ける。その上部に空間部２０を設け活性炭7を保持する通気孔を有する保持板9とメッシュスクリーン８を設置、活性炭７を充填する。活性炭7の表面に、複数の活性炭流動防止板６をつけた通気孔を有する板にメッシュスクリーン4を取り付けた残渣収容室底板５を置く。残渣収容室17には、複数の稀釈空気取り入れ口３があり、換気ブロワ室１９底部には、複数の排気口１２を設ける。容器本体1底部には車輪１８を取り付け移動を可能にした。換気ブロワ11は、動力線プラグ１３をリード線１４に接続、ポータブル電源１５に接続し常時運転する。残渣収容室17に収容した残渣から発生するリン化水素は、換気ブロワ11の運転により稀釈空気取り入れ口3から流入する空気で稀釈され低濃度にせしめ、活性炭槽に導入される。活性炭7の触媒反応でリン化水素を含んだ空気は無害化され、仕切り板10上部の空間部20から換気ブロワ11にて吸引され換気ブロワ室19から複数設けられた排気口１２より排気される。
穀物サイロ、倉庫、輸入本船、製粉工場等リン化アルミニウムくん蒸を行った場所から回収されるリン化アルミニウムくん蒸剤残渣を残渣収容室17に収容する。収容した残渣２１から発生するリン化水素は、換気ブロワ11の運転により稀釈空気取り入れ口3から流入する空気で稀釈され低濃度になり、活性炭槽に導入される。活性炭7の触媒反応でリン化水素を含んだ空気は無害化され、仕切り板10上部の空間部20から換気ブロワ11にて吸引され換気ブロワ室19から複数設けられた排気口１２より排気される。
【産業上の利用可能性】
【００１１】
近年バイオ燃料火力発電所が各地に建設され、バイオ燃料としてヤシ殻等のペレットを大量に輸入されるようになった。
これらは、輸出国で、積載本船船倉内で、リン化アルミニウム剤のくん蒸を行いながら輸入されてきます。
当然多量のリン化アルミニウム剤残渣がバイオ燃料とともに輸入され、その処分方法が問題化している。又、輸出国から輸入国までの輸送期間が短い場合輸送中に十分な分解反応が行われず残留リン化アルミ二ウムの多いくん蒸剤残渣が陸揚げされることがある。
輸入植物検疫くん蒸は、臭化メチル、青酸の代替薬剤としてリン化アルミニウム剤を用いたくん蒸方法が新たに開発され、より多くのリン化アルミニウム剤が使用出来るようになった。
一般の害虫駆除行う製粉工場等のくん蒸では、臭化メチルの使用が禁止されたためリン化アルミニウム剤が使用され、くん蒸期間が短縮したくん蒸を行う場合があり未分解リン化アルミニウムを多く含むくん蒸剤残渣を回収しており、その運搬及び処理は、発火事故や暴露事故の恐れがある。
リン化アルミニウムくん蒸剤残渣の回収は多方面にわたり実施されているが、運搬時の安全性又、加水分解処理など無害化処置後に産業廃棄物として焼却処分している。本発明リン化アルミ二ウムくん蒸剤残渣運搬及び除害容器は、くん蒸剤残渣回収場所に運び、リン化アルミニウムくん蒸剤残渣を収容して、除害処理を行いながら、運搬を可能にした容器であり、一週間程度の保管中に除害処理を行なうことにより、直接産業廃棄物として焼却可能な残留リン化アルミニウムくん蒸剤残渣とする容器を提供する。
【符号の説明】
【００１２】
１  容器本体
２  容器蓋
３  稀釈空気取り入れ口
４  メッシュスクリーン
５  収容室底板
６   流動防止板
７  活性炭
８  メッシュスクリーン
９  活性炭保持板
１０  仕切り板
１１  換気ブロワ
１２  排気口
１３  電源プラグ・ソケット
１４  接続線
１５  ポータブル電源
１６  サプライ電源プラグ
１７  残渣収容室
１８  車輪
１９  換気ブロワ室
２０  仕切り板上部空間
２１  リン化アルミニウム剤残渣
２２  通気孔
２３  固定ボルトナット
【図１】
0003223922.tif 000003
【図２】
0003223922.tif 000004
【手続補正書】
【提出日】令和1年9月3日(2019.9.3)
【手続補正１】
【補正対象書類名】実用新案登録請求の範囲
【補正対象項目名】全文
【補正方法】変更
【補正の内容】
【実用新案登録請求の範囲】
【請求項１】
本容器は、容器１下部に換気ブロワ室19を設け仕切り板 10に換気ブロワ１１を取り付け、その上部に空間部２０を設け、活性炭支持板９を設置して、活性炭７を充填、活性炭7上部表面に残渣収容室底板５を設置、残渣収容室17には、複数の稀釈空気取り入れ口３があり、換気ブロワ室１９底部には、複数の排気口１２があり、換気ブロワ11は、動力線プラグ１３にリード線１４にて、ポータブル電源１５へ接続し、運搬中の除害運転を可能にして、また、ポータブル電源１５に、サプライ電源を接続することにより長期保管中の除害運転を可能にしたリン化アルミニウムくん蒸剤残渣運搬及び除害容器。
【請求項２】
本容器は、容器１下部に換気ブロワ室19を設け仕切り板 10に換気ブロワ１１を取り付け、その上部に空間部２０を設け、活性炭支持板９を設置して、活性炭７を充填、活性炭７上部表面に残渣収容室底板５を設置、残渣収容室17には、複数の稀釈空気取り入れ口３があり、換気ブロワ室１９底部には、複数の排気口１２があり、本容器の残渣収容室17に収容した残渣から発生する高濃度のリン化水素を、換気ブロワ11の運転により稀釈空気取り入れ口3から流入する空気で稀釈することにより低濃度にせしめ活性炭7に導入することにより、活性炭7の触媒反応の急激な反応熱上昇を抑え、活性炭の発火を防止し、残留リン化アルミニウム剤が多く高濃度のリン化水素を発生する恐れのあるリン化アルミニウムくん蒸剤残渣の運搬を可能とし、且つ長期保管中に、換気ブロワ１１を運転することにより発生するリン化水素を除害、残留リン化アルミニウムが分解し産業廃棄物として処分が可能な状態になることを特徴とする請求項１記載のリン化アルミニウムくん蒸剤残渣運搬及び除害容器。
【請求項３】
本容器は、容器１下部に換気ブロワ室19を設け仕切り板 10に換気ブロワ１１を取り付け、その上部に空間部２０を設け、活性炭支持板９を設置して、活性炭７を充填、活性炭７上部表面に残渣収容室底板５を設置、残渣収容室17には、複数の稀釈空気取り入れ口３があり、換気ブロワ室１９底部には、複数の排気口１２があり、本容器の活性炭７は、通気抵抗が平面的に均一でないと、その通気量に差異が生じて活性炭７による触媒反応が不均一になり十分な除害ができない恐れがあり、活性炭7は、粒状のため運搬中の振動により活性炭７の厚さに変化が起こる可能性があるため、残渣収容室底部板5は固定せず、活性炭7の表面と残渣収容室底部板5の間に空間ができないようにしたことを特徴とする請求項１に記載のリン化アルミニウムくん蒸剤残渣運搬及び除害容器。
【請求項４】
本容器は、容器１下部に換気ブロワ室19を設け仕切り板 10に換気ブロワ１１を取り付け、その上部に空間部２０を設け、活性炭支持板９を設置して、活性炭７を充填、活性炭上部表面に残渣収容室底板５を設置、残渣収容室17には、複数の稀釈空気取り入れ口３があり、換気ブロワ室１９底部には、複数の排気口１２があり、本容器が搬送中に傾く恐れや運送車両の急激な発車や停車による本容器に対する影響で、活性炭７が慣性移動や、表層流動が起き活性炭７の厚みにばらつきを起こす恐れがあるため、複数の活性炭流動防止板６を残渣収容室底板５下面に取り付け、活性炭7に直角方向に 差し込み活性炭７の慣性移動や表層流動を防止することを特徴とする請求項１記載のリン化アルミニウムくん蒸剤残渣運搬及び除害容器。